(57)【要約】【課題】運転技術者の技量によらず、省エネルギー量を最大として、全体のランニングコストの最小化を図る。【解決手段】第１の熱源機群２０１の運転を制御する第１のコントローラ１０１と、第２熱源機群３０１の運転を制御する第２のコントローラ１０２とに加え、第１および第２のコントローラ１０１，１０２へ各種の指示を与える第３のコントローラ１０３を設ける。第３のコントローラ１０３において、第１の熱源機群２０１における最終運転機の運転効率と第２の熱源機群３０１における最終運転機の運転効率とを比較し、運転効率の高い熱源機が属する熱源機群から運転効率の低い熱源機が属する熱源機群へ向かう方向を冷温水の融通方向とし、この冷温水の融通方向とこの融通方向への冷温水の融通量を第１および第２のコントローラ１０１，１０２へ指示する。【選択図】  図１
2018044689.tif 000002
【特許請求の範囲】
【請求項１】
第１の熱源機群によって生成される熱量を第１の需要家へ供給する第１の地域冷暖房システムと、第２の熱源機群によって生成される熱量を第２の需要家へ供給する第２の地域冷暖房システムとの間で、前記第１の熱源機群および前記第２の熱源機群が生成する熱量を融通させる地域冷暖房システム間の熱融通制御装置において、
前記第１の熱源機群を含む前記第１の地域冷暖房システムにおける機器の運転を制御する第１のコントローラと、
前記第２の熱源機群を含む前記第２の地域冷暖房システムにおける機器の運転を制御する第２のコントローラと、
前記第１および第２のコントローラへ各種の指示を与える第３のコントローラとを備え、
前記第３のコントローラは、
前記第１の熱源機群と前記第２の熱源機群とを合わせた全体の熱源機群における各熱源機の運転順序を前記第１および第２のコントローラへ指示する運転順序指示手段と、
前記第１および第２の熱源機群の負荷状況に応じて前記第１および第２の熱源機群における熱源機の増減段を前記第１および第２のコントローラへ指示する熱源機増減段指示手段と、
前記第１の熱源機群における運転中の熱源機のうち運転順序が最終の熱源機の運転効率と前記第２の熱源機群における運転中の熱源機のうち運転順序が最終の熱源機の運転効率とを比較し、運転効率の高い熱源機が属する熱源機群から運転効率の低い熱源機が属する熱源機群へ向かう方向を前記第１の熱源機群と前記第２の熱源機群との間の熱量の融通方向と判断する融通方向判断手段と、
前記融通方向判断手段によって判断された融通方向へ融通する熱量を融通量として決定する融通量決定手段と、
前記融通方向判断手段によって判断された融通量および前記融通量決定手段によって決定された融通量を前記第１および第２のコントローラの少なくとも一方へ指示する融通方向／融通量指示手段と
を備えることを特徴とする地域冷暖房システム間の熱融通制御装置。
【請求項２】
請求項１に記載された地域冷暖房システム間の熱融通制御装置において、
前記融通量決定手段は、
前記第１の熱源機群と前記第２の熱源機群との間で融通させる熱量と、この熱量を融通させるために必要な搬送動力を含めた全体のランニングコストとの関係から、全体のランニングコストが最小となる熱量を最適融通量と判断し、この最適融通量を前記融通量として決定する
ことを特徴とする地域冷暖房システム間の熱融通制御装置。
【請求項３】
第１の熱源機群によって生成される熱量を第１の需要家へ供給する第１の地域冷暖房システムと、第２の熱源機群によって生成される熱量を第２の需要家へ供給する第２の地域冷暖房システムと、前記第１の熱源機群を含む前記第１の地域冷暖房システムにおける機器の運転を制御する第１のコントローラと、前記第２の熱源機群を含む前記第２の地域冷暖房システムにおける機器の運転を制御する第２のコントローラとを備えたシステムに適用され、前記第１の地域冷暖房システムと前記第２の地域冷暖房システムとの間で、前記第１の熱源機群および前記第２の熱源機群が生成する熱量を融通させる地域冷暖房システム間の熱融通制御方法において、
前記第１の熱源機群と前記第２の熱源機群とを合わせた全体の熱源機群における各熱源機の運転順序を前記第１および第２のコントローラへ指示する運転順序指示ステップと、
前記第１および第２の熱源機群の負荷状況に応じて前記第１および第２の熱源機群における熱源機の増減段を前記第１および第２のコントローラへ指示する熱源機増減段指示ステップと、
前記第１の熱源機群における運転中の熱源機のうち運転順序が最終の熱源機の運転効率と前記第２の熱源機群における運転中の熱源機のうち運転順序が最終の熱源機の運転効率とを比較し、運転効率の高い熱源機が属する熱源機群から運転効率の低い熱源機が属する熱源機群へ向かう方向を前記第１の熱源機群と前記第２の熱源機群との間の熱量の融通方向と判断する融通方向判断ステップと、
前記融通方向判断ステップによって判断された融通方向へ融通する熱量を融通量として決定する融通量決定ステップと、
前記融通方向判断ステップによって判断された融通量および前記融通量決定ステップによって決定された融通量を前記第１および第２のコントローラの少なくとも一方へ指示する融通方向／融通量指示ステップと
を備えることを特徴とする地域冷暖房システム間の熱融通制御方法。
【請求項４】
請求項３に記載された地域冷暖房システム間の熱融通制御方法において、
前記融通量決定ステップは、
前記第１の熱源機群と前記第２の熱源機群との間で融通させる熱量と、この熱量を融通させるために必要な搬送動力を含めた全体のランニングコストとの関係から、全体のランニングコストが最小となる熱量を最適融通量と判断し、この最適融通量を前記融通量として決定する
ことを特徴とする地域冷暖房システム間の熱融通制御方法。
【発明の詳細な説明】
【技術分野】
【０００１】
本発明は、地域冷暖房システム間で熱源機群が発生する熱量を融通させる地域冷暖房システム間の熱融通制御装置および方法に関する。
【背景技術】
【０００２】
従来より、熱供給用プラントから複数の建物（需要家）に冷温水（熱量）を供給する地域冷暖房システム（ＤＨＣ（District Heating & Cooling Plant）では、需要家における最大負荷を考慮して熱供給用プラントに熱源機を複数台設け、この熱供給用プラントに設けた複数台の熱源機（熱源機群）の運転台数をその時々の負荷状況に応じて制御している（例えば、特許文献１参照）。
【０００３】
近年では、省エネルギーのために、ＤＨＣ間で熱源機群が発生する熱量を融通させる「熱融通」を採用するケースが出てきた。「熱融通」とは、複数のＤＨＣ同士を配管で繋げ、それぞれに発生する負荷を熱供給用プラント間で運転効率のよい熱源機から賄うものである（例えば、非特許文献１参照）。
【先行技術文献】
【特許文献】
【０００４】
【特許文献１】特開平８−２７１０１８号公報
【非特許文献】
【０００５】
【非特許文献１】「建物間熱融通及促進マニュアル  国土交通省 都市・地域整備局」、〔平成２８年９月１２日検索〕、インターネット＜http://www.mlit.go.jp/crd/city/sigaiti/shuhou/ecomachi/fukyu_manual.pdf#search='%E5%BB%BA%E7%89%A9%E9%96%93%E7%86%B1%E8%9E%8D%E9%80%9A%E5%8F%8A%E4%BF%83%E9%80%B2%E3%83%9E%E3%83%8B%E3%83%A5%E3%82%A2%E3%83%AB'＞
【発明の概要】
【発明が解決しようとする課題】
【０００６】
しかしながら、従来のＤＨＣ間での「熱融通」は、手動で行われている。すなわち、ＤＨＣに常駐する運転技術者が運転効率がよいと思われる運転中の熱源機を判断し、この熱源機が属する熱源機群から他の熱源機群へ冷温水を融通させるようにしている。このため、運転技術者の技量によって省エネルギー量が左右され、全体のランニングコストの最小化を図ることが難しかった。
【０００７】
本発明は、このような課題を解決するためになされたもので、その目的とするところは、運転技術者の技量によらず、省エネルギー化を図り、全体のランニングコストを最小化することが可能な地域冷暖房システム間の熱融通制御装置および方法を提供することにある。
【課題を解決するための手段】
【０００８】
このような目的を達成するために本発明は、第１の熱源機群（２０１）によって生成される熱量を第１の需要家（２０２）へ供給する第１の地域冷暖房システム（２００）と、第２の熱源機群（３０１）によって生成される熱量を第２の需要家（３０２）へ供給する第２の地域冷暖房システム（３００）との間で、第１の熱源機群および第２の熱源機群が生成する熱量を融通させる地域冷暖房システム間の熱融通制御装置（１００）において、第１の熱源機群を含む第１の地域冷暖房システムにおける機器（２０１、２０３、４０１）の運転を制御する第１のコントローラ（１０１）と、第２の熱源機群を含む第２の地域冷暖房システムにおける機器（３０１、３０３、４０２）の運転を制御する第２のコントローラ（１０２）と、第１および第２のコントローラへ各種の指示を与える第３のコントローラ（１０３）とを備え、第３のコントローラ（１０３）は、第１の熱源機群と第２の熱源機群とを合わせた全体の熱源機群における各熱源機の運転順序を第１および第２のコントローラへ指示する運転順序指示手段（１２）と、第１および第２の熱源機群の負荷状況に応じて第１および第２の熱源機群における熱源機の増減段を第１および第２のコントローラへ指示する熱源機増減段指示手段（２１）と、第１の熱源機群における運転中の熱源機のうち運転順序が最終の熱源機の運転効率と第２の熱源機群における運転中の熱源機のうち運転順序が最終の熱源機の運転効率とを比較し、運転効率の高い熱源機が属する熱源機群から運転効率の低い熱源機が属する熱源機群へ向かう方向を第１の熱源機群と第２の熱源機群との間の熱量の融通方向と判断する融通方向判断手段（２２）と、融通方向判断手段によって判断された融通方向へ融通する熱量を融通量として決定する融通量決定手段（２３）と、融通方向判断手段によって判断された融通量および融通量決定手段によって決定された融通量を第１および第２のコントローラの少なくとも一方へ指示する融通方向／融通量指示手段（２４）とを備えることを特徴とする。
【０００９】
この発明において、第３のコントローラは、第１の熱源機群と第２の熱源機群とを合わせた全体の熱源機群における各熱源機の運転順序を第１および第２のコントローラへ指示する。また、第３のコントローラは、第１および第２の熱源機群の負荷状況に応じて第１および第２の熱源機群における熱源機の増減段を第１および第２のコントローラへ指示する。また、第３のコントローラは、第１の熱源機群における運転中の熱源機のうち運転順序が最終の熱源機（最終運転機）の運転効率と第２の熱源機群における運転中の熱源機のうち運転順序が最終の熱源機（最終運転機）の運転効率とを比較し、運転効率の高い熱源機が属する熱源機群から運転効率の低い熱源機が属する熱源機群へ向かう方向を融通方向と判断し、またこの融通方向へ融通する熱量を融通量として決定し、この決定した融通方向と融通量を第１および第２のコントローラの少なくとも一方へ指示する。
【００１０】
本発明では、第３のコントローラより第１および第２のコントローラへ、第１の熱源機群と第２の熱源機群とを合わせた全体の熱源機群における各熱源機の運転順序、第１および第２の熱源機群における各熱源機の増減段（各熱源機の発停）、第１の熱源機群と第２の熱源機群との間の熱量の融通方向と融通量が指示される。これにより、従来手動で行われていた「熱融通」が自動で行われるものとなり、運転技術者の技量によらず、省エネルギー化を図り、全体のランニングコストを最小化することが可能となる。
【００１１】
なお、本発明において、第１および第２のコントローラの少なくとも一方へ指示する融通量は、全体のランニングコストが最小となるような融通量として定めるようにするとよい。例えば、第１の熱源機群と第２の熱源機群との間で融通させる熱量と、この熱量を融通させるために必要な搬送動力を含めた全体のランニングコストとの関係から、全体のランニングコストが最小となる熱量を最適融通量と判断し、この最適融通量を融通量として決定する。
【００１２】
なお、上記説明では、一例として、発明の構成要素に対応する図面上の構成要素を、括弧を付した参照符号によって示している。
【発明の効果】
【００１３】
以上説明したことにより、本発明によれば、第１の熱源機群と第２の熱源機群とを合わせた全体の熱源機群における各熱源機の運転順序、第１および第２の熱源機群における各熱源機の増減段、第１の熱源機群と第２の熱源機群との間の熱量の融通方向と融通量が第３のコントローラより第１および第２のコントローラの少なくとも一方へ指示されるものとなり、運転技術者の技量によらず、省エネルギー化を図り、全体のランニングコストを最小化することが可能となる。
【図面の簡単な説明】
【００１４】
【図１】図１は、本発明の実施の形態に係る熱融通制御装置を用いたシステムの要部を示す図である。
【図２】図２は、このシステムにおいて全ての熱源機が運転状態とされている状態を示す図である。
【図３】図３は、このシステムにおいて第２の熱源機群から第１の熱源機群へ熱量（冷温水）が融通される様子（例１）を示す図である。
【図４】図４は、このシステムにおいて第２の熱源機群から第１の熱源機群へ熱量（冷温水）が融通される様子（例２）示す図である。
【図５】図５は、このシステムにおいて第２の熱源機群から第１の熱源機群へ熱量（冷温水）が融通される様子（例３）を示す図である。
【図６】図６は、第１の熱源機群と第２の熱源機群との間で融通させる冷温水の流量（融通流量）と全体ランニングコストとの関係を例示する図である。
【図７】図７は、第３のコントローラにおける全体運転順序判断処理部および融通／増減段補正処理部の詳細を示す図である。
【図８】図８は、融通ポンプを１つとした例を示す図である。
【発明を実施するための形態】
【００１５】
以下、本発明の実施の形態を図面に基づいて詳細に説明する。図１は本発明の実施の形態に係る熱融通制御装置１００を用いたシステムの要部を示す図である。
【００１６】
このシステムにおいて、熱融通制御装置１００は、第１の地域冷暖房システム（ＤＨＣ）２００と第２の地域冷暖房システム（ＤＨＣ）３００とに対して設けられており、第１のコントローラ１０１と第２のコントローラ１０２と第３のコントローラ１０３とを備えている。
【００１７】
第１のコントローラ１０１は、第１の地域冷暖房システム２００における第１の熱源機群２０１や後述する１次ポンプ２０３，融通ポンプ４０１などの機器の運転を制御し、第２のコントローラ１０２は、第２の地域冷暖房システム３００における第２の熱源機群３０１や後述する１次ポンプ２０３，融通ポンプ４０２などの機器の運転を制御する。第３のコントローラ１０３は、第１のコントローラ１０１および第２のコントローラ１０２へ各種の指示を与える。このコントローラ１０３がコントローラ１０１，１０２へ与える各種の指示については後述する。
【００１８】
第１の地域冷暖房システム２００において、第１の熱源機群２０１によって生成される冷温水（熱量）は、往水管路ＬＳ１および還水管路ＬＲ１を通して第１の需要家２０２へ供給される。往水管路ＬＳ１には１次ポンプ２０３が設けられている。また、第１の熱源機群２０１は、熱源機２０１−１と２０１−２と２０１−３との３つの熱源機からなり、これらの熱源機は１次ポンプ２０３とともに第１の熱供給用プラントＰ１に設けられている。
【００１９】
第２の地域冷暖房システム３００において、第２の熱源機群３０１によって生成される冷温水（熱量）は、往水管路ＬＳ２および還水管路ＬＲ２を通して第２の需要家３０２へ供給される。往水管路ＬＳ２には１次ポンプ３０３が設けられている。また、第２の熱源機群３０１は、熱源機３０１−１と３０１−２との２つの熱源機からなり、これらの熱源機は１次ポンプ３０３とともに第２の熱供給用プラントＰ２に設けられている。
【００２０】
このシステムにおいて、第１の地域冷暖房システム２００と第２の地域冷暖房システム３００とは配管Ｌ１，Ｌ２で繋がれている。この実施の形態では、第１の地域冷暖房システム２００側の往水管路ＬＳ１と第２の地域冷暖房システム３００側の往水管路ＬＳ２とを配管Ｌ１で繋ぎ、配管Ｌ１に往水管路ＬＳ１から往水管路ＬＳ２へと向かう冷温水の流れを作る第１の融通ポンプ４０１を設けている。また、第２の地域冷暖房システム３００側の往水管路ＬＳ２と第１の地域冷暖房システム２００側の往水管路ＬＳ１とを配管Ｌ２で繋ぎ、配管Ｌ２に往水管路ＬＳ２から往水管路ＬＳ１へ向かう冷温水の流れを作る第２の融通ポンプ４０２を設けている。
【００２１】
また、配管Ｌ１には、この配管Ｌ１を流れる冷温水の流量を第１の熱源機群２０１から第２の熱源機群３０１への冷温水の融通量ＱＰ１Uとして計測する流量計５０１が設けられており、配管Ｌ２には、この配管Ｌ２を流れる冷温水の流量を第２の熱源機群３０１から第１の熱源機群２０１への冷温水の融通量ＱＰ２Uとして計測する流量計５０２が設けられている。また、第１の熱供給用プラントＰ１には、第１の熱源機群２０１から需要家２０２への冷温水の流量を負荷流量ＱＰ１として計測する流量計５０３が設けられており、第２の熱供給用プラントＰ２には、第２の熱源機群３０１から需要家３０２への冷温水の流量を負荷流量ＱＰ２として計測する流量計５０４が設けられている。
【００２２】
熱融通制御装置１００は、先にも述べたように、第１のコントローラ１０１と、第２のコントローラ１０２と、第３のコントローラ１０３とを備えている。この熱融通制御装置１００における第１のコントローラ１０１、第２のコントローラ１０２および第３のコントローラ１０３は、プロセッサや記憶装置からなるハードウェアと、これらのハードウェアと協働して各種機能を実現させるプログラムとによって実現される。
【００２３】
なお、この熱融通制御装置１００において、第１のコントローラ１０１は熱源機群２０１を含む地域冷暖房システム２００における機器の運転の制御用として設けられた専用のコントローラであり、第２のコントローラ１０２は熱源機群３０１を含む地域冷暖房システム３００における機器の運転の制御用として設けられた専用のコントローラである。
【００２４】
本実施の形態では、この専用のコントローラ１０１，１０２に対して別のコントローラとして第３のコントローラ１０３を設け、この第３のコントローラ１０３から第１のコントローラ１０１と第２のコントローラ１０２に情報を展開することにより、全体としての省エネルギーを図る。
【００２５】
以下、第３のコントローラ１０３が有する機能を交えながら、この熱融通制御装置１００で行われる本実施の形態特有の処理動作について説明する。
【００２６】
第３のコントローラ１０３は、プロセッサが実行する処理機能として、全体運転順序判断処理部１０と、融通／増減段補正処理部２０とを有している。
【００２７】
第３のコントローラ１０３において、全体運転順序判断処理部１０は、「負荷」、「外気」、「設備特性」、「各種制約条件」などを考慮し、コストが最小となるよう、第１の熱源機群２０１と第２の熱源機群３０１とを合わせた全体の熱源機群における各熱源機の運転順序を判断し、その判断した各熱源機の運転順序を第１のコントローラ１０１および第２のコントローラ１０２に指示する。
【００２８】
この第３のコントローラ１０３からの運転順序の指示を受けて、第１のコントローラ１０１および第２のコントローラ１０２は、第１の熱源機群２０１における熱源機２０１−１〜２０１−３および第２の熱源機群３０１における熱源機３０１−１，３０１−２を起動する。
【００２９】
この例では、熱源機３０１−１の運転順序を第１位（１ｓｔ）、熱源機２０１−１の運転順序を第２位（２ｎｄ）、 熱源機２０１−２の運転順序を第３位（３ｒｄ）、熱源機３０１−２の運転順序を第４位（４ｔｈ）、熱源機２０１−３の運転順序を第５位（５ｔｈ）として、各熱源機を起動する。これにより、熱供給用プラントＰ１，Ｐ２内の全ての熱源機が運転状態となる（図２参照）。なお、この状態において、融通ポンプ４０１，４０２は停止しているものとする。
【００３０】
第３のコントローラ１０３において、融通／増減段補正処理部２０は、第１のコントローラ１０１および第２のコントローラ１０２から、第１の熱源機群２０１および第２の熱源機群３０１の負荷状況および各熱源機の運転状況を入手する。
【００３１】
この場合、流量計５０３が計測する負荷流量ＱＰ１が第１の熱源機群２０１の負荷状況として、第１のコントローラ１０１を介して第３のコントローラ１０３の融通／増減段補正処理部２０へ送られ、流量計５０４が計測する負荷流量ＱＰ２が第２の熱源機群３０１の負荷状況として、第２のコントローラ１０２を介して第３のコントローラ１０３の融通／増減段補正処理部２０へ送られる。
【００３２】
また、第１のコントローラ１０１が起動している熱源機２０１−１〜２０１−３が第１の熱源機群２０１における運転中の熱源機として第３のコントローラ１０３の融通／増減段補正処理部２０へ送られ、第２のコントローラ１０２が起動している熱源機３０１−１，３０１−２が第２の熱源機群３０１における運転中の熱源機として第３のコントローラ１０３の融通／増減段補正処理部２０へ送られる。
【００３３】
第３のコントローラ１０３において、融通／増減段補正処理部２０は、この入手した第１の熱源機群２０１および第２の熱源機群３０１の負荷状況および各熱源機の運転状況に基づいて、第１の熱源機群２０１および第２の熱源機群３０１における熱源機の増減段補正を行う。
【００３４】
〔例１：第２の熱源機群３０１における熱源機３０１−２が不要である場合〕
融通／増減段補正処理部２０は、第２の熱源機群３０１の負荷状況により、第２の熱源機群３０１における熱源機３０１−２が不要と判断した場合、第２のコントローラ１０２へ減段指示を与えて、熱源機３０１−２の運転を停止させる（図３参照）。
【００３５】
この場合、第１の熱源機群２０１における運転中の熱源機のうち運転順序が最終の熱源機（最終運転機）は熱源機２０１−３となり、第２の熱源機群３０１における運転中の熱源機のうち運転順序が最終の熱源機（最終運転機）は熱源機３０１−１となる。
【００３６】
この状態において、融通／増減段補正処理部２０は、第１の熱源機群２０１における最終熱源機の運転効率と第２の熱源機群３０１における最終熱源機の運転効率とを比較する。すなわち、第１の熱源機群２０１における熱源機２０１−３の運転効率と第２の熱源機群３０１における熱源機３０１−１の運転効率とを比較する。この例では、熱源機３０１−１の運転効率の方が熱源機２０１−３の運転効率よりも高いものとする。
【００３７】
この場合、融通／増減段補正処理部２０は、運転効率の高い熱源機３０１−１が属する熱源機群３０１から運転効率の低い熱源機２０１−３が属する熱源機群２０１へ向かう方向を第１の熱源機群２０１と第２の熱源機群３０１との間の冷温水の融通方向とし、この冷温水の融通方向とこの融通方向への冷温水の融通量を第１のコントローラ１０１および第２のコントローラ１０２へ指示する。
【００３８】
この例では、冷温水の融通方向が第２の熱源機群３０１から第１の熱源機群２０１へ向かう方向であるので、第２のコントローラ１０２が第２の融通ポンプ４０２を起動し、第２の熱源機群３０１からの冷温水を第１の熱源機群２０１へ融通する。また、第２のコントローラ１０２は、流量計５０２が計測する第２の熱源機群３０１から第１の熱源機群２０１への冷温水の融通量ＱＰ２Uを観測しながら、この冷温水の融通量ＱＰ２Uが指示された融通量となるように融通ポンプ４０２の運転を制御する。
【００３９】
一方、第１のコントローラ１０１は、流量計５０２が計測する第２の熱源機群３０１から第１の熱源機群２０１への冷温水の融通量ＱＰ２Uに基づいて、１次ポンプ２０３を変流量制御する。すなわち、流量計５０２が計測する冷温水の融通量ＱＰ２Uと流量計５０３が計測する負荷流量ＱＰ１との和が冷温水を融通する前の負荷流量ＱＰ１と等しくなるように、１次ポンプ２０３を変流量制御する。
【００４０】
これにより、運転効率の低い熱源機２０１−３が属する第１の熱源機群２０１の負荷が下がり、その分の負荷が運転効率の高い熱源機３０１−１が属する熱源機群３０１からの冷温水で賄われるようになり、システム全体としての省エネルギーが図られるものとなる。
【００４１】
〔例２：第１の熱源機群２０１における熱源機２０１−３および第２の熱源機群３０１における熱源機群３０１−２が不要である場合〕
融通／増減段補正処理部２０は、第１の熱源機群２０１および第２の熱源機群３０１の負荷状況により、第１の熱源機群２０１における熱源機２０１−３および第２の熱源機群３０１における熱源機群３０１−２が不要であると判断した場合、第１のコントローラ１０１および第２のコントローラ１０２へ減段指示を与えて、熱源機２０１−３および熱源機３０１−２の運転を停止させる（図４参照）。
【００４２】
この場合、第１の熱源機群２０１における運転中の熱源機のうち運転順序が最終の熱源機（最終運転機）は熱源機２０１−２となり、第２の熱源機群３０１における運転中の熱源機のうち運転順序が最終の熱源機（最終運転機）は熱源機３０１−１となる。
【００４３】
この状態において、融通／増減段補正処理部２０は、第１の熱源機群２０１における最終熱源機の運転効率と第２の熱源機群３０１における最終熱源機の運転効率とを比較する。すなわち、第１の熱源機群２０１における熱源機２０１−２の運転効率と第２の熱源機群３０１における熱源機３０１−１の運転効率とを比較する。この例では、熱源機３０１−１の運転効率の方が熱源機２０１−２の運転効率よりも高いものとする。
【００４４】
この場合、融通／増減段補正処理部２０は、運転効率の高い熱源機３０１−１が属する熱源機群３０１から運転効率の低い熱源機２０１−２が属する熱源機群２０１へ向かう方向を第１の熱源機群２０１と第２の熱源機群３０１との間の冷温水の融通方向とし、この冷温水の融通方向とこの融通方向への冷温水の融通量を第１のコントローラ１０１および第２のコントローラ１０２へ指示する。
【００４５】
この例では、冷温水の融通方向が第２の熱源機群３０１から第１の熱源機群２０１へ向かう方向であるので、第２のコントローラ１０２が融通ポンプ４０２を起動し、第２の熱源機群３０１からの冷温水を第１の熱源機群２０１へ融通する。また、第２のコントローラ１０２は、流量計５０２が計測する第２の熱源機群３０１から第１の熱源機群２０１への冷温水の融通量ＱＰ２Uを観測しながら、この冷温水の融通量ＱＰ２Uが指示された融通量となるように融通ポンプ４０２の運転を制御する。
【００４６】
一方、第１のコントローラ１０１は、流量計５０２が計測する第２の熱源機群３０１から第１の熱源機群２０１への冷温水の融通量ＱＰ２Uに基づいて、１次ポンプ２０３を変流量制御する。すなわち、流量計５０２が計測する冷温水の融通量ＱＰ２Uと流量計５０３が計測する負荷流量ＱＰ１との和が冷温水を融通する前の負荷流量ＱＰ１と等しくなるように、１次ポンプ２０３を変流量制御する。
【００４７】
これにより、運転効率の低い熱源機２０１−２が属する第１の熱源機群２０１の負荷が下がり、その分の負荷が運転効率の高い熱源機３０１−１が属する熱源機群３０１からの冷温水で賄われるようになり、システム全体としての省エネルギーが図られるものとなる。
【００４８】
〔例３：第１の熱源機群２０１における熱源機２０１−２，２０１−３および第２の熱源機群３０１における熱源機群３０１−２が不要である場合〕
融通／増減段補正処理部２０は、第１の熱源機群２０１および第２の熱源機群３０１の負荷状況により、第１の熱源機群２０１における熱源機２０１−２，２０１−３および第２の熱源機群３０１における熱源機群３０１−２が不要であると判断した場合、第１のコントローラ１０１および第２のコントローラ１０２へ減段指示を与えて、熱源機２０１−２，２０１−３および熱源機３０１−２の運転を停止させる（図５参照）。
【００４９】
この場合、第１の熱源機群２０１における運転中の熱源機のうち運転順序が最終の熱源機（最終運転機）は熱源機２０１−１となり、第２の熱源機群３０１における運転中の熱源機のうち運転順序が最終の熱源機（最終運転機）は熱源機３０１−１となる。
【００５０】
この状態において、融通／増減段補正処理部２０は、第１の熱源機群２０１における最終熱源機の運転効率と第２の熱源機群３０１における最終熱源機の運転効率とを比較する。すなわち、第１の熱源機群２０１における熱源機２０１−１の運転効率と第２の熱源機群３０１における熱源機３０１−１の運転効率とを比較する。この例では、熱源機３０１−１の運転効率の方が熱源機２０１−１の運転効率よりも高いものとする。
【００５１】
この場合、融通／増減段補正処理部２０は、運転効率の高い熱源機３０１−１が属する熱源機群３０１から運転効率の低い熱源機２０１−１が属する熱源機群２０１へ向かう方向を第１の熱源機群２０１と第２の熱源機群３０１との間の冷温水の融通方向とし、この冷温水の融通方向とこの融通方向への冷温水の融通量を第１のコントローラ１０１および第２のコントローラ１０２へ指示する。
【００５２】
この例では、冷温水の融通方向が第２の熱源機群３０１から第１の熱源機群２０１へ向かう方向であるので、第２のコントローラ１０２が融通ポンプ４０２を起動し、第２の熱源機群３０１からの冷温水を第１の熱源機群２０１へ融通する。また、第２のコントローラ１０２は、流量計５０２が計測する第２の熱源機群３０１から第１の熱源機群２０１への冷温水の融通量ＱＰ２Uを観測しながら、この冷温水の融通量ＱＰ２Uが指示された融通量となるように融通ポンプ４０２の運転を制御する。
【００５３】
一方、第１のコントローラ１０１は、流量計５０２が計測する第２の熱源機群３０１から第１の熱源機群２０１への冷温水の融通量ＱＰ２Uに基づいて、１次ポンプ２０３を変流量制御する。すなわち、流量計５０２が計測する冷温水の融通量ＱＰ２Uと流量計５０３が計測する負荷流量ＱＰ１との和が冷温水を融通する前の負荷流量ＱＰ１と等しくなるように、１次ポンプ２０３を変流量制御する。
【００５４】
これにより、運転効率の低い熱源機２０１−１が属する第１の熱源機群２０１の負荷が下がり、その分の負荷が運転効率の高い熱源機３０１−１が属する熱源機群３０１からの冷温水で賄われるようになり、システム全体としての省エネルギーが図られるものとなる。
【００５５】
〔融通量について〕
第３のコントローラ１０３において、融通／増減段補正処理部２０は、第１のコントローラ１０１および第２のコントローラ１０２に対して、冷温水の融通方向とこの融通方向への冷温水の融通量を指示する。この場合、第３のコントローラ１０３は、第１のコントローラ１０１および第２のコントローラ１０２に対して指示する冷温水の融通量を、全体のランニングコストが最小となるような融通量として定める。
【００５６】
具体的には、第１の熱源機群２０１と第２の熱源機群３０１との間で融通させる冷温水の量と、この量の冷温水を融通させるために必要な搬送動力を含めた全体のランニングコストとの関係から、全体のランニングコストが最小となる冷温水の量を最適融通量と判断し、この判断した最適融通量を第１のコントローラ１０１および第２のコントローラ１０２に対して指示する融通量とする。
【００５７】
図５に示した例では、図６に示すように、第１の熱源機群２０１と第２の熱源機群３０１との間で融通させる冷温水の量（融通流量）を横軸にとり、熱供給量プラントＰ１における熱源機２０１−１のランニングコストと熱供給量プラントＰ２における熱源機３０１−１のランニングコストと融通ポンプ４０２のランニングコストとの和を全体ランニングコストとして縦軸にとり、この全体のランニングコストが最小となる融通流量を最適融通量と判断し、この判断した最適融通量を第１のコントローラ１０１および第２のコントローラ１０２へ指示する融通量とする。
【００５８】
図７に第３のコントローラ１０３における全体運転順序判断処理部１０および融通／増減段補正処理部２０の詳細を示す。全体運転順序判断処理部１０は、全体運転順序判断部１１と全体運転順序指示部１２とを備えており、融通／増減段補正処理部２０は、熱源機増減段指示部２１と融通方向判断部２２と融通量決定部２３と融通方向／融通量指示部２４とを備えている。
【００５９】
全体運転順序判断処理部１０において、全体運転順序判断部１１は、「負荷」、「外気」、「設備特性」、「各種制約条件」などを考慮し、コストが最小となるよう、第１の熱源機群２０１と第２の熱源機群３０１とを合わせた全体の熱源機群における各熱源機の運転順序を判断する。全体運転順序指示部１２は、全体運転順序判断部１１によって判断された各熱源機の運転順序を第１のコントローラ１０１および第２のコントローラ１０２に指示する。
【００６０】
融通／増減段補正処理部２０において、熱源機増減段指示部２１は、第１の熱源機群２０１および第２の熱源機群３０１の負荷状況に応じて第１の熱源機群２０１および第２の熱源機群３０１における熱源機の増減段を判断し、第１のコントローラ１０１および第２のコントロー１０２へ指示する。
【００６１】
融通／増減段補正処理部２０において、融通方向判断部２２は、第１の熱源機群２０１における運転中の熱源機のうち運転順序が最終の熱源機（最終運転機）の運転効率と第２の熱源機群３０１における運転中の熱源機のうち運転順序が最終の熱源機（最終運転機）の運転効率とを比較し、運転効率の高い熱源機が属する熱源機群から運転効率の低い熱源機が属する熱源機群へ向かう方向を第１の熱源機群２０１と第２の熱源機群３０１との間の冷温水の融通方向と判断する。
【００６２】
融通／増減段補正処理部２０において、融通量決定部２３は、第１の熱源機群２０１と第２の熱源機群３０１との間で融通させる冷温水の量と、この量の冷温水を融通させるために必要な搬送動力を含めた全体のランニングコストとの関係から、全体のランニングコストが最小となる冷温水の量を最適融通量と判断し、この最適融通量を冷温水の融通量として決定する。
【００６３】
融通／増減段補正処理部２０において、融通方向／融通量指示部２４は、融通方向判断部２２において判断された冷温水の融通方向と、融通量決定部２３で決定された冷温水の融通量を第１のコントローラ１０１および第２のコントローラ１０２へ指示する。
【００６４】
このようにして、本実施の形態によれば、第１の熱源機群２０１と第２の熱源機群３０１とを合わせた全体の熱源機群における各熱源機の運転順序、第１の熱源機群２０１および第２の熱源機群３０１における各熱源機の増減段、第１の熱源機群２０１と第２の熱源機群３０１との間の冷温水の融通方向と融通量が第３のコントローラ１０３より第１のコントローラ１０１および第２のコントローラ１０２へ指示されるものとなり、運転技術者の技量によらず、省エネルギー化を図り、全体のランニングコストを最小化することが可能となる。
【００６５】
なお、上述した実施の形態では、融通／増減段補正処理部２０から第１のコントローラ１０１および第２のコントローラ１０２へ冷温水の融通方向と融通量を指示するようにしたが、この指示は必ずしも第１のコントローラ１０１と第２のコントローラ１０２の両方へ与えなくてもよい。例えば、例１，例２，例３では、第２の熱源機群３０１から第２の熱源機群２０１へ向かう方向が冷温水の融通方向とされるので、融通ポンプ４０２の運転を制御する第２のコントローラ１０２にのみその指示を与えるようにしてもよい。
【００６６】
また、上述した実施の形態では、第１の地域冷暖房システム２００と第２の地域冷暖房システム３００との間に配管Ｌ１，Ｌ２を設け、この配管Ｌ１，Ｌ２に融通ポンプ４０１，４０２を設けるようにしたが、図８に示すように、第１の地域冷暖房システム２００と第２の地域冷暖房システム３００との間に配管Ｌを設け、この配管Ｌに冷温水の流れる方向を切り替えることが可能な融通ポンプ４００を設けるようにしてもよい。この場合、融通ポンプ４００は、第１の地域冷暖房システム２００と第２の地域冷暖房システム３００とで共用される機器とされる。すなわち、融通ポンプ４００は、第１の地域冷暖房システム２００側の機器でもあり、第２の地域冷暖房システム３００側の機器でもある。
【００６７】
また、上述した実施の形態では、第１の需要家２０２や第２の需要家３０２へ供給する熱量を冷温水としたが、冷温水に限られるものでないことは言うまでもない。
【００６８】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００６９】
１０…全体運転順序判断部、１１…全体運転順序指示部、１２…全体運転順序指示部、２０…融通／増減段補正処理部、２１…熱源機増減段指示部、２２…融通方向判断部、２３…融通量決定部、２４…融通方向／融通量指示部、１００…熱融通制御装置、１０１…第１のコントローラ、１０２…第２のコントローラ、１０３…第３のコントローラ、２００…第１の地域冷暖房システム、２０１…第１の熱源機群、２０１−１〜２０１−３…熱源機、２０２…第１の需要家、３００…第２の地域冷暖房システム、３０１…第２の熱源機群、３０１−１，３０１−２…熱源機、３０２…第２の需要家、４００…融通ポンプ、４０１…第１の融通ポンプ、４０２…第２の融通ポンプ、５０１〜５０４…流量計、Ｐ１…第１の熱供給用プラント、Ｐ２…第２の熱供給用プラント。
【図１】
2018044689.tif 000003
【図２】
2018044689.tif 000004
【図３】
2018044689.tif 000005
【図４】
2018044689.tif 000006
【図５】
2018044689.tif 000007
【図６】
2018044689.tif 000008
【図７】
2018044689.tif 000009
【図８】
2018044689.tif 000010